(57)【特許請求の範囲】
【請求項１】
それぞれコントローラを具備する複数台の室外ユニットを冷媒回路に対して並列に接続してなるマルチ型空気調和機において、
上記各室外ユニットに各々容量制御機構を付設すると共に、
上記各室外ユニットのコントローラにそれぞれ子機として機能する他の室外ユニットを集中コントロールする集中コントローラ機能と各コントローラが親機用又は子機用として機能するよう切り換える親・子切換手段とを具備させ、
これら各コントローラ間を信号線で渡り配線し、
上記複数台の室外ユニットの中の任意の１台を親機としてそのコントローラを上記親・子切換手段により親側に切り換えて集中コントローラとして機能させ、他の室外ユニットを子機としてそのコントローラを上記親・子切換手段により子側に切り換え可能となし、
更に、上記複数台の室外ユニットの任意の１台のコントローラを上記親・子切換手段により親側に切り換えて親機としたとき、当該室外ユニットの容量制御機構を機能させることを特徴とするマルチ型空気調和機。  
【発明の詳細な説明】
【０００１】
【発明の属する技術分野】
本発明は複数台の室外ユニットを冷媒回路に対して並列に接続してなるマルチ型空気調和機に関する。
【０００２】
【従来の技術】
従来のマルチ型空気調和機の１例が図２に示されている。
複数台（図には３台のみが示されている）の室外ユニットＡ、Ｂ、Ｃは冷媒回路１、２に対して並列に接続され、これら冷媒回路１、２には図示しない複数台の室内ユニットが並列に接続されている。
【０００３】
これら室外ユニットＡ、Ｂ、Ｃの中の１台、例えば、室外ユニットＡは容量可変型圧縮機、ホットガスバイパス回路等の容量制御機構９を具えているが、他の室外ユニットＢ、Ｃは固定容量でオン・オフ運転される。
【０００４】
各室外ユニットＡ、Ｂ、ＣはそれぞれコントローラA3、B3、C3を具え、これらコントローラA3、B3、C3は信号線４で集中コントローラ５に渡り配線され、この集中コントローラ４は通信線６を介して図示しない室内コントローラに接続されている。
【０００５】
【発明が解決しようとする課題】
上記従来のマルチ型空気調和機においては、集中コントローラ５を別に設置し、この集中コントローラ５に複数台の室外ユニットＡ、Ｂ、ＣのコントローラA3、B3、C3を信号線４で渡り配線しているため、これらの据付作業が面倒であるのみならずコストが嵩むという問題があった。
【０００６】
また、容量制御機構９を具備する室外ユニットＡが故障した場合には、マルチ型空気調和機の容量制御が不能となるのでマルチ型空気調和機の全体が停止してしまうという問題があった。
【０００７】
【課題を解決するための手段】
本発明は上記課題を解決するために発明されたものであって、その要旨とするところは、それぞれコントローラを具備する複数台の室外ユニットを冷媒回路に対して並列に接続してなるマルチ型空気調和機において、上記各室外ユニットに各々容量制御機構を付設すると共に、上記各室外ユニットのコントローラにそれぞれ子機として機能する他の室外ユニットを集中コントロールする集中コントローラ機能と各コントローラが親機用又は子機用として機能するよう切り換える親・子切換手段とを具備させ、これら各コントローラ間を信号線で渡り配線し、上記複数台の室外ユニットの中の任意の１台を親機としてそのコントローラを上記親・子切換手段により親側に切り換えて集中コントローラとして機能させ、他の室外ユニットを子機としてそのコントローラを上記親・子切換手段により子側に切り換え可能となし、更に、上記複数台の室外ユニットの任意の１台のコントローラを上記親・子切換手段により親側に切り換えて親機としたとき、当該室外ユニットの容量制御機構を機能させることを特徴とするマルチ型空気調和機にある。
【０００９】
【発明の実施の形態】
本発明の実施形態が図１に示されている。
各室外ユニットＡ、Ｂ、Ｃにはそれぞれ容量制御機構９が付設されている。
そして、各室外ユニットＡ、Ｂ、ＣのコントローラA7、B7、C7はそれぞれ従来の子機用コントローラ機能と従来の集中コントローラ5 が有していた集中コントローラ機能を併せ具備するとともに親・子切換手段８を具えている。
【００１０】
しかして、室外ユニットＡ、Ｂ、Ｃの据付時、その１台、例えば、室外ユニットＡのコントローラA7をその親・子切換手段８を親側に切り換えることによって集中コントローラとして機能させると同時にその容量制御機構９を機能させ、他の室外ユニットＢ、ＣのコントローラB7、C7をその親・子切換手段８を子側のままに保持することによって従来の子機用コントローラとして機能させると同時にその容量制御機構９を機能させない。
【００１１】
次いで、コントローラA7、B7、C7を信号線４で渡り配線するとともにコントローラA7を通信線６を介して図示しない室内コントローラに接続する。
他の構成は図２に示す従来のものと同様であり、対応する部材には同じ符号を付してその説明を省略する。
【００１２】
かくして、室外ユニットＡは親機として機能し、子機として機能する室外ユニットＢ及びＣを集中コントロールする。
そして、室外ユニットＡの容量制御機構９やコントローラA7の集中コントローラ機能が故障した場合にはその親・子切換手段８を子側に切り換え、かつ、他の任意の１台の室外ユニット、例えば、ＢのコントローラB7を親・子切換手段８を親側に切換えるとともにそのコントローラB7を通信線６を介して室内コントローラに接続すれば、以後室外ユニットＢが親機として機能する。
【００１３】
【発明の効果】
本発明においては、それぞれコントローラを具備する複数台の室外ユニットを冷媒回路に対して並列に接続してなるマルチ型空気調和機において、各室外ユニットに各々容量制御機構を付設すると共に、各室外ユニットのコントローラにそれぞれ子機として機能する他の室外ユニットを集中コントロールする集中コントローラ機能と各コントローラが親機用又は子機用として機能するよう切り換える親・子切換手段とを具備させ、これら各コントローラ間を信号線で渡り配線し、複数台の室外ユニットの中の任意の１台を親機としてそのコントローラを親・子切換手段により親側に切り換えて集中コントローラとして機能させ、他の室外ユニットを子機としてそのコントローラを親・子切換手段により子側に切り換え可能となし、更に、複数台の室外ユニットの任意の１台のコントローラを親・子切換手段により親側に切り換えて親機としたとき、室外ユニットの容量制御機構を機能させるようにしたため、従来の集中コントローラが不要となるので、そのコストを節減できるとともに親機のコントローラが故障等により集中コントローラ機能を失ったとき他の１台の室外ユニットのコントローラを親・子切換手段により親側に切り換えることによってこの室外ユニットを親機として機能させることができる。
【００１４】
更に、各室外ユニットに各々容量制御機構を付設し、複数台の室外ユニットの任意の１台のコントローラを親・子切換手段により親側に切り換えて親機としたとき、当該室外ユニットの容量制御機構を機能させるので、親機が故障した場合でも他の室外ユニットを親機とすることによって空気調和機の運転停止を回避することができる。
【図面の簡単な説明】
【図１】本発明の実施形態を示す系統図である。
【図２】従来のマルチ型空気調和機の系統図である。
【符号の説明】
Ａ、Ｂ、Ｃ  室外ユニット
A7、B7、C7  コントローラ
８  親・子切換手段
９  容量制御機構
１、２  冷媒回路
４  信号線
６  通信線
【図１】
0003784909.tif 000002
【図２】
0003784909.tif 000003